(57)【特許請求の範囲】
【請求項１】
複数枚の硬貨を一括投入可能な硬貨一括投入口を有する自動釣銭入出金機の筐体と、前記硬貨一括投入口を開閉させるよう前記筐体に揺動可能に取り付けられた硬貨一括投入口カバーと、前記硬貨一括投入口を閉じた状態に前記硬貨一括投入口カバーをロックするロック部と、前記筐体に設けられて前記硬貨一括投入口カバーを開く方向に付勢する少なくとも１つの付勢機構部とを備え、
前記硬貨一括投入口カバーは、閉状態において前記硬貨一括投入口と連通する硬貨投入スリットと、前記筐体に取り付けられる取付軸とを有し、
前記筐体は、前記取付軸の両端部を受ける一対の凹形受け部を有し、
前記ロック部を解除すると前記付勢機構部によって前記硬貨一括投入口カバーが開きかつ前記取付軸の前記凹形受け部からの離脱が阻止されるように構成されたことを特徴とする自動釣銭入出金機の硬貨一括投入口カバーの開閉構造。
【請求項２】
前記付勢機構部が、前記硬貨一括投入口カバーと接触可能なピンと、このピンを前記筐体に保持するホルダ部と、このホルダ部と前記ピンとの間に設けられて前記ピンを閉状態の前記硬貨一括投入口カバーへ押し付ける弾発部材とを有してなり、
前記取付軸は、前記両端部のうちの少なくとも一方の端部近傍に、前記ピンの外周面に当接する円弧面部を有する円板形の当接部材を有してなる請求項１に記載の自動釣銭入出金機の硬貨一括投入口カバーの開閉構造。
【請求項３】
前記当接部材の円弧面部の曲率中心が、前記取付軸の軸心と一致する請求項２に記載の自動釣銭入出金機の硬貨一括投入口カバーの開閉構造。
【請求項４】
前記取付軸は前記筐体に水平方向に取り付けられ、
前記一対の凹形受け部は、前記取付軸の両端部を下から支持するよう前記筐体に上方開口状に設けられ、
前記付勢機構部は、前記筐体における前記取付軸の両端部の近傍に左右一対設けられている請求項１〜３のいずれか１つに記載の自動釣銭入出金機の硬貨一括投入口カバーの開閉構造。
【請求項５】
請求項１〜４のいずれか１つに記載の自動釣銭入出金機の硬貨一括投入口カバーの開閉構造と、前記硬貨投入スリットまたは前記硬貨一括投入口に投入された硬貨の金種を識別する硬貨識別部と、硬貨を金種別に収納する複数の硬貨収納出金装置と、金種を識別された硬貨をその硬貨に対応する硬貨収納出金装置へ搬送する硬貨搬送部と、前記硬貨収納出金装置内の硬貨を釣銭として払い出す硬貨払出口とを備えた自動釣銭入出金機。
【発明の詳細な説明】
【技術分野】
【０００１】
本発明は自動釣銭入出金機の硬貨一括投入口カバーの開閉構造に関する。
【背景技術】
【０００２】
自動販売機、自動券売機、セルフ式ガソリンスタンドやスーパーマーケット等に設置された自動精算機などには自動釣銭入出金機が内蔵されており、この自動釣銭入出金機には硬貨を金種別に収納する複数の硬貨収納部を有する硬貨収納出金装置が備えられている（例えば特許文献１および２参照）。
【０００３】
例えば、１円、５円、１０円、５０円、１００円および５００円硬貨を個別に収納することができる硬貨収納出金装置には６つの硬貨収納部が設けられており、特許文献１では、１円および５円硬貨を除く４種類の硬貨を金種別に収納する場合が例示されている。
【０００４】
硬貨収納出金装置において、複数の硬貨収納部は、収納する硬貨の金種に応じた内径を有する円筒形にそれぞれ形成され、複数枚の硬貨を平積みした状態で収納するよう構成されている。また、各硬貨収納部には、それらの下部から硬貨を１枚ずつ排出する硬貨排出機構が設けられている。
さらに、硬貨収納出金装置には、通常、複数の硬貨収納部のうち少なくとも１つが満杯となった時点の硬貨を収納する不特定硬貨収納部が設けられている。
【０００５】
このような自動釣銭入出金機は、投入口に投入された硬貨の金種を識別し、硬貨収納出金装置の金種に応じた硬貨収納部へ硬貨を搬送して収納し、釣銭が必要な場合は釣銭に応じた硬貨収納部から硬貨を１枚ずつ排出して硬貨払出口へ送るように構成されている。  さらに、自動釣銭入出金機は、一般に、釣銭切れを生じる前に管理者に対して警告ランプ等で警告するよう構成されている。
【０００６】
自動釣銭入出金機が釣銭切れの警告を発すると、管理者は釣銭切れしそうな硬貨をその硬貨収納部へ補充する。硬貨を補充する間、客は自動釣銭入出金機を使用することができなくなる。そのため、自動釣銭入出金機は、一般に作業効率化の観点から、複数枚の硬貨を一括投入できる硬貨一括投入口が設けられている。特許文献２の場合、決済操作ユニットの上面に硬貨一括投入口が設けられ、ロック付きの硬貨一括投入口カバーによって硬貨一括投入口が開閉できるようになっている。
【先行技術文献】
【特許文献】
【０００７】
【特許文献１】特開平５−５４２３１号公報
【特許文献２】特許第５０００６００号公報
【発明の概要】
【発明が解決しようとする課題】
【０００８】
特許文献２の場合、管理者は、片手に持った鍵でロックを解除し、もう一方の手で硬貨一括投入口カバーを開けるという、両手を使う動作が必要であった。また、このような硬貨一括投入口のロックは一般にロック解除が見た目や感触で分かりづらいものであった。
【０００９】
本発明は、このような課題に鑑みなされたものであり、片手でロックを解除し硬貨一括投入口を開くことができると共に、見た目や感触でロック解除を確認できる自動釣銭入出金機の硬貨一括投入口カバーの開閉構造および自動釣銭入出金機を提供することを目的とする。
【課題を解決するための手段】
【００１０】
かくして、本発明によれば、複数枚の硬貨を一括投入可能な硬貨一括投入口を有する自動釣銭入出金機の筐体と、前記硬貨一括投入口を開閉させるよう前記筐体に揺動可能に取り付けられた硬貨一括投入口カバーと、前記硬貨一括投入口を閉じた状態に前記硬貨一括投入口カバーをロックするロック部と、前記筐体に設けられて前記硬貨一括投入口カバーを開く方向に付勢する少なくとも１つの付勢機構部とを備え、
前記硬貨一括投入口カバーは、閉状態において前記硬貨一括投入口と連通する硬貨投入スリットと、前記筐体に取り付けられる取付軸とを有し、
前記筐体は、前記取付軸の両端部を受ける一対の凹形受け部を有し、
前記ロック部を解除すると前記付勢機構部によって前記硬貨一括投入口カバーが開きかつ前記取付軸の前記凹形受け部からの離脱が阻止されるように構成された自動釣銭入出金機の硬貨一括投入口カバーの開閉構造が提供される。
【００１１】
また、本発明の別の観点によれば、前記自動釣銭入出金機の硬貨一括投入口カバーの開閉構造と、前記硬貨投入スリットまたは前記硬貨一括投入口に投入された硬貨の金種を識別する硬貨識別部と、硬貨を金種別に収納する複数の硬貨収納出金装置と、金種を識別された硬貨をその硬貨に対応する硬貨収納出金装置へ搬送する硬貨搬送部と、前記硬貨収納出金装置内の硬貨を釣銭として払い出す硬貨払出口とを備えた自動釣銭入出金機が提供される。
【発明の効果】
【００１２】
本発明の自動釣銭入出金機の硬貨一括投入口カバーの開閉構造によれば、自動釣銭入出金機に釣銭用の硬貨を補充する際、管理者がロック部を解除することにより付勢機構部によって硬貨一括投入口カバーが自動的に飛び出すように開く（ポップアップする）。そのため、管理者は片手でロックを解除するだけで迅速かつ容易に硬貨一括投入口カバーを開くことができる。このとき、硬貨一括投入口カバーがポップアップすることにより見た目や感触でロック解除を確認できる。
【００１３】
また、本発明の硬貨一括投入口カバーの開閉構造は、凹形受け部に取付軸を嵌め入れただけの簡単な取付構造であるため、硬貨一括投入口カバーを蝶番を用いて自動釣銭入出金機の筐体にネジ止めするといった従来の一般的な取付構造に比べて部品点数を削減できる。
しかも、硬貨一括投入口カバーが開くと、付勢機構部によって硬貨一括投入口カバーの取付軸の凹形受け部からの離脱が阻止されるように構成されているため、硬貨一括投入口カバーがポップアップした勢いで取付軸が凹形受け部から離脱して硬貨一括投入口カバーが落下するという不具合は生じない。また、硬貨一括投入口カバーがポップアップした後に、ロック部に差し込んだ鍵を管理者が引き抜こうとした際に、硬貨一括投入口カバーが持ち上げられて取付軸が凹形受け部から離脱するということもない。
【図面の簡単な説明】
【００１４】
【図１】本発明の自動釣銭入出金機の実施形態１を示すブロック図である。
【図２】実施形態１の自動釣銭入出金機を示す斜視図である。
【図３】実施形態１の自動釣銭入出金機を示す正面図である。
【図４】実施形態１の自動釣銭入出金機における硬貨一括投入口カバーのロック部を解除する様子を示す説明図である。
【図５】実施形態１の自動釣銭入出金機における硬貨一括投入口カバーが開いた状態を示す部分的な斜視図である。
【図６】実施形態１の自動釣銭入出金機における硬貨一括投入口カバーが閉じた状態を示す簡略右側断面図である。
【図７】実施形態１の自動釣銭入出金機における硬貨一括投入口カバーが開いた状態を示す簡略右側断面図である。
【発明を実施するための形態】
【００１５】
本発明の自動釣銭入出金機の硬貨一括投入口カバーの開閉構造は、複数枚の硬貨を一括投入可能な硬貨一括投入口を有する自動釣銭入出金機の筐体と、前記硬貨一括投入口を開閉させるよう前記筐体に揺動可能に取り付けられた硬貨一括投入口カバーと、前記硬貨一括投入口を閉じた状態に前記硬貨一括投入口カバーをロックするロック部と、前記筐体に設けられて前記硬貨一括投入口カバーを開く方向に付勢する少なくとも１つの付勢機構部とを備え、
前記硬貨一括投入口カバーは、閉状態において前記硬貨一括投入口と連通する硬貨投入スリットと、前記筐体に取り付けられる取付軸とを有し、
前記筐体は、前記取付軸の両端部を受ける一対の凹形受け部を有し、
前記ロック部を解除すると前記付勢機構部によって前記硬貨一括投入口カバーが開きかつ前記取付軸の前記凹形受け部からの離脱が阻止されるように構成されている。
【００１６】
本発明の自動釣銭入出金機の硬貨一括投入口カバーの開閉構造は、次のように構成されてもよく、これらが適宜組み合わされてもよい。
【００１７】
（１）前記付勢機構部が、前記硬貨一括投入口カバーと接触可能なピンと、このピンを前記筐体に保持するホルダ部と、このホルダ部と前記ピンとの間に設けられて前記ピンを閉状態の前記硬貨一括投入口カバーへ押し付ける弾発部材とを有してなり、
前記取付軸は、前記両端部のうちの少なくとも一方の端部近傍に、前記ピンの外周面に当接する円弧面部を有する円板形の当接部材を有してもよい。
このようにすれば、ピンによって硬貨一括投入口カバーのポップアップと脱落防止を行うことができる。
また、当接部材の円弧面部を取付軸から離れた位置に配置することができ、これにより硬貨一括投入口カバーにおける取付軸を保持するボス部を回避した部分をピンにて押圧して硬貨一括投入口カバーを確実にポップアップさせることができる。
【００１８】
（２）前記当接部材の円弧面部の曲率中心が、前記取付軸の軸心と一致してもよい。
このようにすれば、硬貨一括投入口カバーの開閉時に回動する当接部材の円弧面部にピンが接触していてもピンに対して垂直方向の力が加わらないため、ピンが曲がって付勢機構部が故障するという不具合を防止できる。
なお、前記当接部材の円弧面部の曲率中心が取付軸の軸心から僅かにずれる場合は、ピンと当接部材の円弧面部との間に僅かな隙間を設けておけばよい。
【００１９】
（３）前記取付軸は前記筐体に水平方向に取り付けられ、
前記一対の凹形受け部は、前記取付軸の両端部を下から支持するよう前記筐体に上方開口状に設けられ、
前記付勢機構部は、前記筐体における前記取付軸の両端部の近傍に左右一対設けられてもよい。
このようにすれば、片方の付勢機構部が破損しても、もう一方の付勢機構部にて確実に硬貨一括投入口カバーのポップアップおよび硬貨一括投入口カバーの筐体からの脱落防止をすることができる。
【００２０】
以下、図面を参照しながら本発明の自動釣銭入出金機の硬貨一括投入口カバーの開閉構造および自動釣銭入出金機の実施形態について詳説する。
【００２１】
（実施形態１）
図１は本発明の自動釣銭入出金機の実施形態１を示すブロック図であり、図２は実施形態１の自動釣銭入出金機を示す斜視図であり、図３は実施形態１の自動釣銭入出金機を示す正面図である。
【００２２】
＜自動釣銭入出金機の全体構成について＞
本発明の実施形態１の自動釣銭入出金機１００は、ボックス形の３つの硬貨収納出金装置１（１Ａ、１Ｂ、１Ｃ）を備えると共に、筐体１００ａに取り付けられた硬貨投入スリット１０１を有する硬貨一括投入口カバー３０を備える。
さらに、自動釣銭入出金機１００は、硬貨投入スリット１０１または後述する硬貨一括投入口１３１（図５参照）に投入された硬貨（貨幣）Ｋの金種を識別する硬貨識別部１０２と、金種を識別された硬貨Ｋをいずれかの硬貨収納出金装置１に搬送する搬送通路１０３ａを有する硬貨搬送部１０３と、各硬貨収納出金装置１に対応するモータＭと、硬貨収納出金装置１内の硬貨Ｋを釣銭として払い出す硬貨払出口１０４と、硬貨識別部１０２、硬貨搬送部１０３および硬貨収納出金装置１と電気的に接続される制御部１０５とを備える。
【００２３】
詳しく説明すると、この自動釣銭入出金機１００は、１円および５円硬貨を個別に収納する硬貨収納出金装置１Ａと、１０円および５０円硬貨を個別に収納する硬貨収納出金装置１Ｂと、１００円および５００円硬貨を個別に収納する硬貨収納出金装置１Ｃとを備え、さらに、各硬貨収納出金装置１がオーバーフローする硬貨Ｋを収納する予備硬貨収納ボックス２を備えている。
【００２４】
自動釣銭入出金機１００の筐体１００ａは直方体形であり、筐体１００ａの短辺方向に配置された平行な広い二側面のうちの一側面には、自動釣銭入出金機１００内に設けられた収容スペースに３つの硬貨収納出金装置１を着脱可能に装着するための開口部が形成されている。そして、その収容スペースには、各硬貨収納出金装置１に対応する３つのモータＭが設けられており、各モータＭの出力は駆動ギアを介して各硬貨収納出金装置１の硬貨排出機構に設けられた回転力伝達部の各ギアに伝達されて硬貨の払い出しが行われる。
【００２５】
硬貨収納出金装置１は、釣銭使用頻度の高い硬貨（１円、１０円または１００円硬貨）を収納する容積が大きい第１室と、釣銭使用頻度が低い硬貨（５円、５０円または５００円硬貨）を収納する容積が小さい第２室とを有する。
実施形態１の場合、硬貨収納出金装置１Ａの第１室１Ａａと第２室１Ａｂには１円硬貨と５円硬貨が収納され、硬貨収納出金装置１Ｂの第１室１Ｂａと第２室１Ｂｂには１０円硬貨と５０円硬貨が収納され、硬貨収納出金装置１Ｃの第１室１Ｃａと第２室１Ｃｂには１００円硬貨と５００円硬貨が収納される。
なお、１つの硬貨収納出金装置１内に収納する使用頻度の高い硬貨と低い硬貨の組み合わせは自由であり、例えば、１円硬貨と５０円または５００円硬貨の組み合わせ、１０円硬貨と５円または５００円硬貨の組み合わせ、１００円硬貨と５円または５０円硬貨の組み合わせであってもよい。
【００２６】
また、図示省略するが、この自動釣銭入出金機１００は、複数種類の紙幣（例えば、千円、五千円および一万円札）を種類別に収納出金可能な紙幣収納出金装置と、紙幣導入口と、この紙幣導入口に導入された紙幣の金種を識別する紙幣識別部と、金種を識別された紙幣を紙幣収納出金装置に搬送する搬送通路を有する紙幣搬送部と、紙幣収納出金装置内の紙幣を釣銭として払い出す紙幣払出口とを備えてもよい。この場合、制御部１０５は、紙幣識別部、紙幣搬送部および紙幣収納出金装置とも電気的に接続される。
【００２７】
硬貨識別部１０２は、従来公知の方法、例えば硬貨の大きさ（厚みを含む）、重量、材質等から金種を識別し、硬貨識別信号を制御部１０５へ送信する。また、紙幣識別部は、従来公知の方法、例えば紙幣の印刷パターン（透かしを含む）、印刷インクの材質、縦横寸法等から金種を識別し、紙幣識別信号を制御部１０５へ送信する。
【００２８】
硬貨搬送部１０３は、搬送通路１０３ａ上に設けられた図示しない硬貨移動機構と、所定の硬貨収納出金装置１の後述する第１室１Ａａまたは第２室１Ａｂへ硬貨が搬送されるように搬送通路１０３ａを切り換える複数の搬送通路切換機構１０３ｂを有している。
硬貨移動機構は、搬送通路１０３ａ上に設けられたゴム製のエンドレスベルトと、エンドレスベルトを張架しかつ回転させる複数のプーリーおよびモータ等を備えてなり、搬送通路１０３ａ上に寝た硬貨の平坦面にエンドレスベルトが接触しながら搬送方向（矢印Ａ方向）へ移動することにより、硬貨を搬送通路１０３ａ上で滑らせて搬送するよう構成されている。
搬送通路切換機構１０３ｂは、ソレノイド１０３ｂ1と、ソレノイド１０３ｂ1によって所定の硬貨収納出金装置１へ通じる搬送通路１０３ａに設けられた連通穴を開閉するシャッター１０３ｂ2とを有してなる。
【００２９】
制御部１０５は、硬貨識別部１０２からの硬貨識別信号を受信し、硬貨識別信号に応じて所定の硬貨収納出金装置１の第１室または第２室へ硬貨を搬送する搬送指令信号を搬送通路切換機構１０３ａへ送信するように構成されている。
例えば、制御部１０５は、硬貨識別部１０２からの１円硬貨の硬貨識別信号を受信すると、硬貨収納出金装置１Ａの第１室１Ａａへ硬貨を搬送する搬送指令信号を搬送通路切換機構１０３ａのソレノイド１０３ｂ1へ送信する。これにより、硬貨収納出金装置１Ａの第１室１Ａａに対応するソレノイド１０３ｂ1が作動してシャッター１０３ｂ2を開くため、搬送通路１０３ａ上を移動する１円硬貨が硬貨収納出金装置１Ａの第１室１Ａａに落下して収納される。
【００３０】
なお、自動釣銭入出金機１００には、各硬貨収納出金装置１に収納される硬貨を金種毎にカウントする図示しないセンサが設けられており、制御部１０５はこれらのセンサからの出力信号に基づいてオーバーフローする硬貨を金種毎に判断して予備硬貨収納ボックス２へ搬送するよう硬貨搬送部１０３の後述する搬送通路切換機構１０３ｂの動作を制御する。
【００３１】
また、制御部１０５は、釣銭が必要となったときに所定の硬貨収納出金装置１のモータＭへ正回転および／または逆回転を指令する回転指令信号を送信するように構成されている。この際、制御部１０５は、硬貨識別部１０２にて金種を識別された硬貨の枚数を計数して合計金額を算出し、かつ外部からの商品代金信号を受信し、合計金額と商品代金信号に含まれる金額とを比較して釣銭が必要であるか否かを判断し、釣銭が必要な場合に釣銭に応じた硬貨収納出金装置１のモータＭへ正回転および／または逆回転の指令信号を送信する。
【００３２】
図４は実施形態１の自動釣銭入出金機における硬貨一括投入口カバーのロック部を解除する様子を示す説明図であり、図５は実施形態１の自動釣銭入出金機における硬貨一括投入口カバーが開いた状態を示す部分的な斜視図である。
図３〜図５に示すように、自動釣銭入出金機１００の筐体１００ａの長辺方向に配置された正面において、上部には前記硬貨一括投入口１３１が設けられ、下部には前記硬貨払出口１０４、紙幣差入口１４１および紙幣払出口１４２が設けられている。なお、硬貨払出口１０４および紙幣払出口１４２は上下方向に揺動して開閉する透明カバー１０４ａ、１４２ａにて覆われている。
【００３３】
＜硬貨一括投入口カバーの開閉構造について＞
図６は実施形態１の自動釣銭入出金機における硬貨一括投入口カバーが閉じた状態を示す簡略右側断面図であり、図７は実施形態１の自動釣銭入出金機における硬貨一括投入口カバーが開いた状態を示す簡略右側断面図である。
【００３４】
図３〜図７に示すように、この自動釣銭入出金機１００の硬貨一括投入口カバー３０の開閉構造は、複数枚の硬貨を一括投入可能な硬貨一括投入口１３１を有する自動釣銭入出金機１００の筐体１００ａと、硬貨一括投入口１３１を開閉させるよう筐体１００ａに揺動可能に取り付けられた硬貨一括投入口カバー３０と、硬貨一括投入口１３１を閉じた状態に硬貨一括投入口カバー３０をロックするロック部４０と、筐体１００ａに設けられて硬貨一括投入口カバー３０を開く方向に付勢する左右一対の付勢機構部５０とを備える。
【００３５】
硬貨一括投入口１３１は、自動釣銭入出金機１００内のいずれかの硬貨が少なくなった場合に管理者が硬貨を複数枚（例えば１００枚）一括投入して補充するための開口部であり、正面から視て矩形状に形成されている。
【００３６】
なお、実施形態１の場合、図２に示すように、自動釣銭入出金機１００は、硬貨一括投入口１３１と硬貨搬送部１０３との間に、上流側の硬貨搬送部１０６と、ドラム部１０７とを有しており、硬貨一括投入口１３１に一括的に投入された複数枚の硬貨は硬貨搬送部１０６にてランダムにドラム部１０７まで搬送され、ドラム部１０７によって硬貨を１枚ずつ下流側の硬貨搬送部１０３に送り込み、硬貨搬送部１０３にて１枚ずつ搬送される硬貨の金種を硬貨識別部１０２にて識別するように構成されている。
【００３７】
自動釣銭入出金機１００の筐体１００ａにおいて、硬貨一括投入口１３１の下端部の左右にＵ字形の凹形受け部１３２が設けられている。この左右一対の凹形受け部１３２に硬貨一括投入口カバー３０の後述の取付軸３１の両端部が嵌め入れられる。
また、筐体１００ａにおける硬貨一括投入口１３１の上端部の左右にもＵ字形の係止凹部１３３が設けられている。この左右一対の係止凹部１３３は、硬貨一括投入口カバー３０の後述のロック部４０を構成する一部分である。
【００３８】
硬貨一括投入口カバー３０は、閉状態のときの後面３０ａ2に複数のリブを有するカバー本体３０ａと、硬貨を１枚ずつ投入可能な幅でカバー本体３０ａに縦方向に形成された硬貨投入スリット１０１と、閉状態のカバー本体３０ａにおける硬貨投入スリット１０１の下方に設けられた鍵差込部４１を有するロック部４０と、閉状態のカバー本体３０ａにおける下端部に水平方向に設けられたボス部３２と、ボス部３２の孔を挿通した取付軸３１と、カバー本体３０ａの前面３０ａ1側に上下方向へ揺動可能に設けられた硬貨投入スリット１０１を覆う透明カバー３３とを備える。なお、カバー本体３０ａの前面３０ａ1の硬貨投入スリット１０１が設けられた部分は、硬貨を硬貨投入スリット１０１へ入れ易くするために後方へ陥没している。
【００３９】
また、取付軸３１は、その両端部の近傍に、円弧面部３１ａ1を外周部に有する円板形の当接部材３１ａを有している。この当接部材３１ａは、その外周部の一部が円弧面部３１ａ1となっている。そして、この円弧面部３１ａ1の曲率中心、すなわち、円弧面部３１ａ1と一致する同心円の中心は、取付軸３１の軸心Ｐと一致している。なお、実施形態１の場合、硬貨一括投入口カバー３０は開閉の際に約１８０°回動するため、硬貨一括投入口カバー３０と一体状に回動する当接部材３１ａの円弧面部３１ａ1は中心角度１８０°以上の範囲であって、少なくとも後述するピン５１と接触する範囲に亘って設けられている。
【００４０】
ロック部４０は、カバー本体３０ａに回動可能に設けられた鍵差込部４１と、一対の係止凹部１３３と、各係止凹部１３３と係脱可能な左右端部４２ａを有するＵ形の係止部材４２と、前記鍵差込部４１と係止部材４２との間に設けられたバネ部材４３とを有する。
鍵差込部４１は、例えば多角形（例えば、六角形）の溝部を有し、この溝部に嵌合する多角環形の鍵を差し込んで所定中心角度の範囲（例えば、４５°〜９０°）で回動させることができるよう構成されている。
【００４１】
このロック部４０は、硬貨一括投入口カバー３０にて硬貨一括投入口１３１を閉じた状態においては、バネ部材４３によって係止部材４２の左右に折れ曲がった左右端部４２ａが下方へ付勢されて左右一対の係止凹部１３３に係止し、鍵差込部４１に鍵４４を差し込んで一方向（例えば、時計回り）に回動させるとバネ部材４３の付勢力に抗して係止部材４２の左右端部４２ａが上方へ移動して左右一対の係止凹部１３３から離脱してロックが解除されるように構成されている。なお、実施形態１の場合、バネ部材４３としてねじりコイルバネが用いられている。
【００４２】
付勢機構部５０は、硬貨一括投入口カバー３０のカバー本体３０ａの後面３０ａ2と接触可能なピン５１と、このピン５１を筐体１００ａに保持するホルダ部５２と、このホルダ部５２とピン５１との間に設けられてピン５１を閉状態の硬貨一括投入口カバー３０へ押し付ける弾発部材５３とを有してなる。
【００４３】
ホルダ部５２は、筐体１００ａのピン挿通孔が形成されたピン取付位置の後面に設けられた筒部５２ａと、筒部５２ａの後端部に固定された蓋部５２ｂとからなる。
ピン５１は、筐体１００ａのピン挿通孔に挿通されてホルダ部５２の筒部５２ａ内に収納された後端膨出部５１ａを有する。
弾発部材５３は、ホルダ部５２の筒部５２ａ内に収納されてピン５１の膨出部５１ａを前方へ付勢するコイルスプリングからなる。
【００４４】
このように構成された硬貨一括投入口カバー３０の開閉構造によれば、図４と図６に示す硬貨一括投入口カバー３０の閉状態において、前述したようにロック部４０（図５参照）の係止部材４２の左右端部４２ａが左右の係止凹部１３３に係止している。このとき、付勢機構部５０のピン５１の前端は弾発部材５３の付勢力によってカバー本体３０ａの後面３０ａ2を押圧すると共に、当接部材３１ａの円弧面部３１ａ1に接触している。
【００４５】
硬貨一括投入口カバー３０の閉状態においては、透明カバー３３を上げて硬貨投入スリット１０１に硬貨を１枚ずつ投入すると、前記硬貨搬送部１０６、ドラム部１０７、硬貨識別部１０２および硬貨搬送部１０３を経て金種に対応した硬貨収納出金装置１の第１室または第２室へ送られる（図１および図２参照）。
【００４６】
自動釣銭入出金機１００内のいずれかの硬貨収納出金装置１に収納された硬貨が少なくなった場合、管理者が硬貨を複数枚一括投入して補充する必要がある。この際、図４に示すように、管理者は透明カバー３３を上げて鍵４４を鍵差込部４１に差し込んで一方向に回す。すると、前述したようにロック部４０（図５参照）の係止部材４２の左右端部４２ａが左右の係止凹部１３３から浮き上がって離脱すると共に、鍵４４を回したままの状態で鍵差込部４１から引き抜く動作をすると、図５と図７に示すように、ピン５１にて前方へ押圧されていた硬貨一括投入口カバー３０がポップアップする。
【００４７】
このとき、取付軸３１および当接部材３１ａは、硬貨一括投入口カバー３０と一体状に約１８０°回動する。この間、円弧面部３１ａ1の曲率中心は取付軸３１の軸心Ｐと一致しているため、ピン５１は当接部材３１ａによって垂直方向に押し上げられることなく円弧面部３１ａ1に摺接しながら前方へ突出する。したがって、ピン５１によって硬貨一括投入口カバー３０のポップアップと取付軸３１の凹形受け部１３２からの離脱防止の両方が行われている。
【００４８】
なお、硬貨の補充後、硬貨一括投入口カバー３０を持ち上げて閉じることにより、ロック部４０の係止部材４２の左右端部４２ａが左右の係止凹部１３３に係止して自動的にロックする。
【００４９】
（実施形態２）
実施形態１では、コイルスプリング（弾発部材５３）によってピン５１が硬貨一括投入口カバー３０をポップアップさせかつ取付軸３１の凹形受け部１３２からの離脱を阻止するように付勢機構部５０が構成された場合を例示したが、付勢機構部はこれに限定されるものではない。
例えば、略Ｌ形または略Ｚ形の板バネの基端を筐体１００ａに固定しかつ先端を硬貨一括投入口カバー３０および取付軸３１の当接部材３１ａの円弧面部３１ａ1に押し付けることにより、板バネによって硬貨一括投入口カバー３０のポップアップおよび取付軸３１の凹形受け部１３２からの離脱阻止を行うよう付勢機構部を構成してもよい。
【００５０】
（実施形態３）
実施形態１では、自動釣銭入出金機１００の筐体１００ａにおける硬貨一括投入口１３１の左右に一対の付勢機構部５０が設けられた場合を例示したが、右または左の付勢機構部５０を省略してもよい。それに伴い、右または左の当接部材３１ａも省略してもよい。
【００５１】
（実施形態４）
実施形態１では、付勢機構部５０が、ピン５１が当接部材３１ａを押圧することにより取付軸３１が凹形受け部１３２から離脱しないよう構成された場合を例示したが、当接部材３１ａを省略し、ピン５１が取付軸３１付近に突出することにより取付軸３１が凹形受け部１３２から離脱しないように付勢機構部を構成してもよい。
【００５２】
（実施形態５）
硬貨一括投入口カバー３０のロック部４０は、実施形態１で例示したもの以外でもよい。例えば、硬貨一括投入口１３１の開口端縁の一部に係止可能な係止片を鍵差込部４１に設け、鍵４４にて鍵差込部４１を回すと硬貨一括投入口１３１の開口端縁の一部に係止していた係止片が外れて硬貨一括投入口カバー３０がポップアップする、というようにロック部を構成してもよい。
【００５３】
（実施形態６）
実施形態１では、硬貨を１枚ずつ投入可能な硬貨投入スリット１０１を例示したが、硬貨投入スリットの幅を広げて複数枚（例えば、２〜４枚）の硬貨を一度に投入できるようにしてもよい。
【００５４】
（実施形態７）
実施形態１では、取付軸３１が筐体１００ａに水平方向に取り付けられた場合を例示したが、取付軸３１を筐体１００ａに垂直方向に取り付けて硬貨一括投入口カバー３０を垂直軸心を中心として左右方向に開閉させるようにしてもよい。
【００５５】
なお、開示された実施の形態は、全ての点で例示であって制限的なものではないと考えられるべきである。本発明の範囲は上述の説明ではなくて特許請求の範囲によって示され、特許請求の範囲と均等の意味及び範囲内での全ての変更が含まれることが意図される。
【符号の説明】
【００５６】
１、１Ａ、１Ｂ、１Ｃ：硬貨収納出金装置
３０：硬貨一括投入口カバー
３１：取付軸
３１ａ：当接部材
３１ａ1：円弧面部
４０：ロック部
５０：付勢機構部
５１：ピン
５２：ホルダ部
５３：弾発部材
１００：自動釣銭入出金機
１０１：硬貨投入スリット
１０１ａ：筐体
１０２：硬貨識別部
１０３：硬貨搬送部
１０４：硬貨払出口
１３１：硬貨一括投入口
１３２：凹形受け部
Ｋ：硬貨
Ｐ：取付軸の軸心
【図１】
0006580941.tif 000002
【図２】
0006580941.tif 000003
【図３】
0006580941.tif 000004
【図４】
0006580941.tif 000005
【図５】
0006580941.tif 000006
【図６】
0006580941.tif 000007
【図７】
0006580941.tif 000008